(57)【要約】【課題】ネスティングされた状態からの抜き取り作業をスムースに行うことのできる箱型容器を提供する。【解決手段】箱型容器１は、略矩形板状の底壁部２と、底壁部２の周縁部から上方に延びる周壁部３と、周壁部３の上縁部全周域から外方に突出する張り出し部４とを備え、ネスティング可能に構成されている。周壁部３は、底壁部２の相対する短辺部からそれぞれ上方に延出する第３及び第４側壁部１３、１４を具備し、張り出し部４は、周壁部３の上縁部から外周方向に延出する延出部２１と、延出部２１の先端縁から下方に延出する折返し部２２とを備える。張り出し部４のうち第３及び第４側壁部１３、１４に対応して形成される第３及び第４張り出し部３３、３４には、長手方向中央部において張り出し部４の内周側に凹となる凹部２５が形成され、凹部２５の内側には、折返し部２２の下縁部から張り出し部４の外周方向に延出するフランジ部２７が設けられている。【選択図】      図４
2010280425.tif 000002
【特許請求の範囲】
【請求項１】
略長方形状の底壁部と、
前記底壁部の周縁部から上方に延出する枠状の周壁部と、
前記周壁部の上縁部全周域から当該周壁部の外周方向に向けて突出する張り出し部とを備え、
これら各壁部が型成形により一体成形されて上方に開口する箱型容器において、
前記周壁部は、前記底壁部の相対する長辺部からそれぞれ上方に延出する一対の長辺側側壁部と、前記底壁部の相対する短辺部からそれぞれ上方に延出し、前記一対の長辺側側壁部の側辺部同士を連結する一対の短辺側側壁部とを具備し、
前記張り出し部は、前記各側壁部の上縁部から前記周壁部の外周方向に向けて延出する延出部と、前記延出部の先端縁から下方に向けて延出する折返し部とを備え、
前記箱型容器を同じ向きで上下に重ねることでネスティングができる構成であって、
前記張り出し部のうち前記短辺側側壁部に対応して形成される短辺側張り出し部には、長手方向中央部において、前記張り出し部の内周側に凹となる凹部が形成されるとともに、
前記凹部の内側には、前記折返し部の上縁部又は下縁部から所定距離隔てた位置において、前記張り出し部の外周方向に延在するフランジ部が設けられていることを特徴とする箱型容器。
【請求項２】
前記フランジ部の前記張り出し部外周側の端縁は、前記張り出し部のうち前記凹部が形成された部位の両側方に位置する一般部の前記折返し部の外側面と面一、又は、前記一般部の前記折返し部の外側面よりも前記張り出し部内周側に位置していることを特徴とする請求項１に記載の箱型容器。
【請求項３】
前記凹部は、前記張り出し部のうち前記凹部が形成された部位の両側方に位置する一般部の前記折返し部よりも前記張り出し部内周側に前記折返し部を設けることで形成されるとともに、前記フランジ部は前記折返し部の下縁部から前記張り出し部外周側に延出する構成であって、
前記凹部の前記折返し部の延出長は、前記一般部の前記折返し部の延出長よりも長く構成され、前記フランジ部は前記一般部の折返し部と連結されていることを特徴とする請求項１又は２に記載の箱型容器。
【請求項４】
前記長辺側側壁部は、鉛直方向に対する傾斜角度が前記短辺側側壁部と同じ第１傾斜部と、前記第１傾斜部よりも前記周壁部の外周側に大きく傾斜した第２傾斜部とを備えていることを特徴とする請求項１乃至３のいずれかに記載の箱型容器。
【請求項５】
前記長辺側側壁部は、前記第１傾斜部を成形するための第１成形部と、前記第２傾斜部を成形するための第２成形部とで、鉛直方向における傾斜角度が異なる金型装置を用いて形成されることを特徴とする請求項４に記載の箱型容器。
【請求項６】
前記長辺側側壁部のうち、前記短辺側側壁部と連接する幅方向両側部近傍部位は前記第１傾斜部として構成され、幅方向中央部は前記第２傾斜部として構成されていることを特徴とする請求項４又は５に記載の箱型容器。
【請求項７】
前記箱型容器を交互に１８０度回転させて上下に重ねることでスタッキングができる構成であって、
スタッキングした際に上側の箱型容器を支持する支持壁部と、
スタッキングした際に下側の箱型容器の前記支持壁部に支持される支脚部と、
前記支脚部が中空状に形成されることで構成され、ネスティングした際に上側の箱型容器の前記支脚部を収容可能な脚部収容部とを備え、
前記支脚部の外側面には段差部が設けられ、前記支脚部のうち前記段差部よりも下側の部位は上側の部位よりも細くなっていることを特徴とする請求項１乃至６のいずれかに記載の箱型容器。
【発明の詳細な説明】
【技術分野】
【０００１】
本発明は、物品の運搬等に使用される箱型容器に関するものである。
【背景技術】
【０００２】
一般に、物品の搬送等に使用される箱型容器は、略矩形状の底壁部と、底壁部の外周縁から上方に延出する側壁部とを備えており、上方の開口部から物品を出し入れする構成となっている。さらに、箱型容器は、側壁部の上縁部から外側に突出する張り出し部を備えており、張り出し部によって側壁部の強度を向上させるとともに、張り出し部に手を掛けて箱型容器を持ち運ぶことができるようになっている。また、箱型容器は、側壁部が上方に向けて箱型容器の外周側に傾斜しており、複数の箱型容器を同じ向きで積み重ねた場合にネスティング（上側の箱型容器の大部分を下側の箱型容器の内側に収める）ができるようになっている（例えば、特許文献１等参照。）。
【先行技術文献】
【特許文献】
【０００３】
【特許文献１】実開平４−２１４３５号公報
【発明の概要】
【発明が解決しようとする課題】
【０００４】
ところで、ネスティングされた箱型容器をコンパクトにまとめて搬送効率を高めるべく、上下に重ねられた箱型容器の張り出し部同士を近接させたり、当接させたりすることが考えられる。しかしながら、この場合には、上側の箱型容器の張り出し部の下側に指を差し入れることができなくなってしまうおそれがある。すなわち、上側の箱型容器を下側の箱型容器から抜き取る際の持ち手がなくなるため、作業性の低下を招くおそれがある。
【０００５】
本発明は上記問題点を解決するためになされたものであって、その目的は、ネスティングされた状態からの抜き取り作業をスムースに行うことのできる箱型容器を提供することにある。
【課題を解決するための手段】
【０００６】
以下、上記目的等を解決するのに適した各手段につき項分けして説明する。なお、必要に応じて対応する手段に特有の作用効果等を付記する。
【０００７】
手段１．略長方形状の底壁部と、
前記底壁部の周縁部から上方に延出する枠状の周壁部と、
前記周壁部の上縁部全周域から当該周壁部の外周方向に向けて突出する張り出し部とを備え、
これら各壁部が型成形により一体成形されて上方に開口する箱型容器において、
前記周壁部は、前記底壁部の相対する長辺部からそれぞれ上方に延出する一対の長辺側側壁部と、前記底壁部の相対する短辺部からそれぞれ上方に延出し、前記一対の長辺側側壁部の側辺部同士を連結する一対の短辺側側壁部とを具備し、
前記張り出し部は、前記各側壁部の上縁部から前記周壁部の外周方向に向けて延出する延出部と、前記延出部の先端縁から下方に向けて延出する折返し部とを備え、
前記箱型容器を同じ向きで上下に重ねることでネスティングができる構成であって、
前記張り出し部のうち前記短辺側側壁部に対応して形成される短辺側張り出し部には、長手方向中央部において、前記張り出し部の内周側に凹となる凹部が形成されるとともに、
前記凹部の内側には、前記折返し部の上縁部又は下縁部から所定距離隔てた位置において、前記張り出し部の外周方向に延在するフランジ部が設けられていることを特徴とする箱型容器。
【０００８】
手段１によれば、張り出し部のうち短辺側側壁部に対応して形成される短辺側張り出し部には、折返し部の上縁部又は下縁部から所定距離隔てた位置において張り出し部の外周方向（例えば略水平方向）に延在するフランジ部が設けられている。このため、箱型容器をネスティングした際に、上側の箱型容器の張り出し部と、下側の箱型容器の張り出し部とが近接、或いは接触していても、上側の箱型容器のフランジ部と、下側の箱型容器のフランジ部との間に指を差し込んで上側のフランジ部の裏面に指を掛け、上側の箱型容器を持ち上げることができる。従って、ネスティングした箱型容器のコンパクト化を図りつつ、ネスティングされた状態から上側の箱型容器を抜き取るといった作業をスムースに行うことができる。
【０００９】
また、フランジ部は凹部に設けられていることから、張り出し部のうち凹部が形成されていない一般部の折返し部よりもフランジ部を張り出し部の外周側に大きく突出させなくても、作業者の指が掛けられる程度にフランジ部の延出長を確保することができる。従って、フランジ部が一般部よりも張り出し部の外周側に大きく突出することによって、フランジ部が損傷し易くなったり、箱型容器の大型化を招いたりするといった事態を抑制することができる。
【００１０】
尚、「ネスティング時の上側の箱型容器の張り出し部と下側の箱型容器の張り出し部との間隔が５ｍｍ以下であること」としてもよい。この場合、ネスティング効率を飛躍的に高めることができる。また、「ネスティング時の上側の箱型容器のフランジ部と下側の箱型容器のフランジ部との間隔が１０ｍｍ以上であること」としてもよい。この場合、フランジ部間に指を確実に差し入れることができ、上記作用効果が一層確実に奏される。また、前記フランジ部は、前記凹部の内側面に対して３辺で連結されていることとしてもよい。この場合、フランジ部が１辺で支持される場合に比べ、フランジ部の変形を防止することができ、フランジ部の破損を防止することができる。
【００１１】
手段２．前記フランジ部の前記張り出し部外周側の端縁は、前記張り出し部のうち前記凹部が形成された部位の両側方に位置する一般部の前記折返し部の外側面と面一、又は、前記一般部の前記折返し部の外側面よりも前記張り出し部内周側に位置していることを特徴とする手段１に記載の箱型容器。
【００１２】
手段２によれば、フランジ部は一般部の折返し部よりも張り出し部外周側に飛び出していないため、フランジ部の破損をより確実に防止することができる。また、フランジ部が一般部の折返し部よりも外側に突出することに起因して箱型容器の大型化を招くといった事態を回避することができ、例えば、箱型容器の短辺部同士を突き当てるようにして保管する場合などに、保管スペースを極力小さくすることができる。
【００１３】
手段３．前記凹部は、前記張り出し部のうち前記凹部が形成された部位の両側方に位置する一般部の前記折返し部よりも前記張り出し部内周側に前記折返し部を設けることで形成されるとともに、前記フランジ部は前記折返し部の下縁部から前記張り出し部外周側に延出する構成であって、
前記凹部の前記折返し部の延出長は、前記一般部の前記折返し部の延出長よりも長く構成され、前記フランジ部は前記一般部の折返し部と連結されていることを特徴とする手段１又は２に記載の箱型容器。
【００１４】
手段３によれば、張り出し部のうち凹部が形成された部位の強度を向上させることができる。また、凹部の折返し部の延出長が長く構成されることによって、凹部の折返し部の裏面に手を掛けやすくなり（力をかけやすくなり）、物品を収容した箱型容器を持ち運ぶ際などの作業性の向上を図ることができる。
【００１５】
手段４．前記長辺側側壁部は、鉛直方向に対する傾斜角度が前記短辺側側壁部と同じ第１傾斜部と、前記第１傾斜部よりも前記周壁部の外周側に大きく傾斜した第２傾斜部とを備えていることを特徴とする手段１乃至３のいずれかに記載の箱型容器。
【００１６】
例えば、ネスティングされた箱型容器を上のものから１つずつ持ち上げようとした場合、持ち上げた箱型容器の外側面（主に底壁部の下面）と、その下側の箱型容器の内側面（主に底壁部の上面）との間に形成される空間が負圧状態になり、持ち上げた箱型容器のみならず、その下側の箱型容器も持ち上がってしまうことが懸念される。この場合、ネスティングされた箱型容器を抜き取る際に、その下側の箱型容器を手で押さえる必要が生じるなど作業性の低下等を招くおそれがある。
【００１７】
これに対し、本手段４によれば、長辺側側壁部は短辺側側壁部よりも大きく傾斜した第２傾斜部を備えている。このため、箱型容器をネスティングした際に、上下に重ねられた箱型容器の第１傾斜部間の距離よりも、第２傾斜部間の距離の方が大きくなる。従って、第２傾斜部間の隙間から上下の箱型容器の間に形成される空間に外気が入り易くなり、上側の箱型容器を持ち上げた際に下側の箱型容器がくっついてきてしまうといった事態を防止することができる。結果として、ネスティングされた状態から上側の箱型容器を抜き取るといった作業をスムースに行うことができる。
【００１８】
手段５．前記長辺側側壁部は、前記第１傾斜部を成形するための第１成形部と、前記第２傾斜部を成形するための第２成形部とで、鉛直方向における傾斜角度が異なる金型装置を用いて形成されることを特徴とする手段４に記載の箱型容器。
【００１９】
手段５によれば、上記手段４の箱型容器を確実に得ることができる。
【００２０】
手段６．前記長辺側側壁部のうち、前記短辺側側壁部と連接する幅方向両側部近傍部位は前記第１傾斜部として構成され、幅方向中央部は前記第２傾斜部として構成されていることを特徴とする手段４又は５に記載の箱型容器。
【００２１】
一般に、底壁部の長辺部に沿って形成される長辺側側壁部に関しては、幅方向中央部において周壁部内周側に凸となるようにして成形歪みを生じやすい。このように成形歪みが生じた場合、長辺側側壁部の幅方向中央部が幅方向両側部よりも周壁部の内周側に位置してしまい、ネスティングした際に、上下に重ねられた箱型容器の長辺側側壁部同士が近接、或いは接触することが懸念される。これに起因して、ネスティングされた箱型容器を抜き取る作業に際して、作業性の低下を招くおそれがある。
【００２２】
これに対し、本手段６によれば、長辺側側壁部の幅方向中央部を周壁部外周側に傾くようにして成形しているため、長辺側側壁部に上記のような成形歪みが生じたとしても、長辺側側壁部の幅方向中央部が幅方向両側部よりも周壁部内周側に位置してしまうといった事態を防止することができる。従って、ネスティングされた箱型容器の抜き取り作業性の向上を図るといった作用効果が一層確実に奏される。
【００２３】
手段７．前記箱型容器を交互に１８０度回転させて上下に重ねることでスタッキングができる構成であって、
スタッキングした際に上側の箱型容器を支持する支持壁部と、
スタッキングした際に下側の箱型容器の前記支持壁部に支持される支脚部と、
前記支脚部が中空状に形成されることで構成され、ネスティングした際に上側の箱型容器の前記支脚部を収容可能な脚部収容部とを備え、
前記支脚部の外側面には段差部が設けられ、前記支脚部のうち前記段差部よりも下側の部位は上側の部位よりも細くなっていることを特徴とする手段１乃至６のいずれかに記載の箱型容器。
【００２４】
手段７によれば、段差部において、支脚部と脚部収容部との間の隙間が大きくなるため、ネスティングされた箱型容器のうち上側の箱型容器を持ち上げた際に、かかる隙間から上下の箱型容器の間に形成される空間に外気が入り易くなる。従って、上側の箱型容器を持ち上げた際に上下の箱型容器の間に形成される空間が負圧状態となることに起因して、下側の箱型容器がくっついてきてしまうといった事態を防止することができる。結果として、ネスティングされた状態から上側の箱型容器を抜き取るといった作業をスムースに行うことができる。
【図面の簡単な説明】
【００２５】
【図１】箱型容器を上面側から見た斜視図である。
【図２】箱型容器を下面側から見た斜視図である。
【図３】箱型容器の平面図である。
【図４】ネスティングした箱型容器の斜視図である。
【図５】ネスティングした箱型容器を示す図３のＡ−Ａ線断面図である。
【図６】ネスティングした箱型容器を示す図３のＢ−Ｂ線断面図である。
【図７】ネスティングした箱型容器を示す図３のＣ−Ｃ線断面図である。
【図８】ネスティングした箱型容器を示す図３のＤ−Ｄ線断面図である。
【図９】ネスティングした箱型容器を示す図３のＥ−Ｅ線断面図である。
【図１０】別の実施形態におけるネスティングした箱型容器を示す断面図である。
【図１１】別の実施形態における箱型容器の斜視図である。
【図１２】別の実施形態における箱型容器の斜視図である。
【発明を実施するための形態】
【００２６】
以下に、一実施形態について図面を参照して説明する。図１〜図３等に示すように、箱型容器１は、相対する一対の長辺部と相対する一対の短辺部とを備える略矩形板状の底壁部２と、底壁部２の周縁部から上方に突出する枠状の周壁部３と、周壁部３の上縁部全周域から周壁部３の外周方向に突出する張り出し部４とを備え、これらが型成形により一体的に形成されている。本実施形態では、箱型容器１はポリプロピレンにより構成されている。尚、本実施形態の底壁部２及び周壁部３には水抜き孔等の透孔は形成されていない。
【００２７】
周壁部３は、底壁部２の相対する長辺部からそれぞれ上方に延出する第１側壁部１１及び第２側壁部１２と、底壁部２の相対する短辺部からそれぞれ上方に延出する第３側壁部１３及び第４側壁部１４とを備えている。また、周壁部３（各側壁部１１、１２、１３、１４）は、型抜きの都合上、上方に向けて周壁部３の外周側に若干傾斜して延びている。さらに、箱型容器１は、いずれの部位においても肉厚がほぼ一定であり、箱型容器１の外側形状と、箱型容器１の内側形状とがほぼ同じ形状をなしている。このため、箱型容器１を同じ向きで上下に重ねることで図４に示すようにネスティングすることができ、物品を取出した箱型容器１を搬送元に回収する際の効率を高めることができる。尚、本実施形態では第１側壁部１１及び第２側壁部１２が長辺側側壁部に相当し、第３側壁部１３及び第４側壁部１４が短辺側側壁部に相当する。
【００２８】
また、第３側壁部１３及び第４側壁部１４は、周壁部３の外周側に膨出する支脚部１５と、箱型容器１を交互に１８０度回転させて上下に重ねた場合に前記支脚部１５を支持する支持壁部１６とを備えている。具体的に、第３側壁部１３に関しては、その幅方向両側部（第１側壁部１１及び第２側壁部１２との連接部位）において第３支脚部１５ａが設けられ、第３支脚部１５ａよりも第３側壁部１３の幅方向中央部側において第３支持壁部１６ａが設けられている。一方、第４側壁部１４に関しては、その幅方向両側部において第３支脚部１５ａと対向する位置に第４支持壁部１６ｂが設けられ、第４支持壁部１６ｂよりも第４側壁部１４の幅方向中央部側において第３支持壁部１６ａと対向する位置に第４支脚部１５ｂが設けられている。そして、箱型容器１の上に同じ箱型容器１を１８０度回転させて乗せた場合に、上側の箱型容器１の第３支脚部１５ａが下側の箱型容器１の第４支持壁部１６ｂに支持され、上側の箱型容器１の第４支脚部１５ｂが下側の箱型容器１の第３支持壁部１６ａに支持される。これにより、物品を収容した箱型容器１を段積み（スタッキング）することができる。
【００２９】
また、支持壁部１６は周壁部３の上縁部（後述する延出部２１）よりも下方に設けられており、箱型容器１をスタッキングした場合、上側の箱型容器１の下部は、下側の箱型容器１の内側に嵌合して位置決めされる。これにより、箱型容器１を安定して段積みすることができる。さらに、支持壁部１６の上面には上方に突出する支持凸部１７（図１参照）が形成され、支脚部１５の下面には、スタッキング時に支持凸部１７が差し込まれる支持凹部１８（図２参照）が形成されている。当該構成により、スタッキングした箱型容器１のがたつき等をより確実に防止することができる。
【００３０】
また、第３側壁部１３及び第４側壁部１４は、各支脚部１５の内側を中空状に形成することで形成された脚部収容部１９を備えており、箱型容器１を同じ向きで上下に重ねた場合、図９に示すように、各支脚部１５が各脚部収容部１９の内側に収容される。これにより、上記のように箱型容器１を同じ向きで積み重ねることでネスティングすることができる。
【００３１】
さらに、各支脚部１５の外側面には段差部２０が形成され、段差部２０よりも下側の部位が上側の部位よりも細くなっている。当該構成により、箱型容器１をネスティングした際に、段差部２０において支脚部１５と脚部収容部１９との間に比較的大きな隙間が形成されることとなる。
【００３２】
また、本実施形態では、第１側壁部１１及び第２側壁部１２の傾斜角度が部分的に異なっている。具体的に、図６に示す第２側壁部１２の幅方向中央部１２ａの鉛直方向に対する傾斜角度は、図５に示す幅方向両側部近傍部位１２ｂの鉛直方向に対する傾斜角度よりも大きくなっている（第１側壁部１１に関しても同様）。すなわち、第２側壁部１２（第１側壁部１１）は、幅方向中央部において周壁部３外周側に最も大きく開くようにして形成されている。これにより、箱型容器１をネスティングした場合に、上下に重ねられた箱型容器１の第２側壁部１２（第１側壁部１１）の幅方向両側部近傍部位１２ｂ間の隙間（図５参照）よりも、第２側壁部１２（第１側壁部１１）の幅方向中央部１２ａ間の隙間（図６参照）の方が大きくなっている。また、第３側壁部１３及び第４側壁部１４に関しては、いずれの部位においても傾斜角度は一定となっている。さらに、第１側壁部１１及び第２側壁部１２の幅方向両側部近傍部位（１２ｂ）の傾斜角度は、第３側壁部１３及び第４側壁部１４の傾斜角度と同じとなっている。本実施形態では、第１側壁部１１及び第２側壁部１２の幅方向両側部近傍部位（１２ｂ）が第１傾斜部に相当し、第１側壁部１１及び第２側壁部１２の幅方向中央部（１２ａ）が第２傾斜部に相当する。
【００３３】
尚、箱型容器１を形成する金型装置（図示略）は、第１側壁部１１（第２側壁部１２）の幅方向中央部を成形する部位（第２成形部）が鉛直方向に対して周壁部３の外周側に１０度傾いており、第１側壁部１１（第２側壁部１２）の幅方向両側部近傍部位を形成する部位（第１成形部）が鉛直方向に対して周壁部３の外周側に９度傾いている。つまり、鉛直方向に対する第１側壁部１１（第２側壁部１２）の横幅方向中央部の傾斜角度は約１０度であり、第１側壁部１１（第２側壁部１２）の横幅方向両側部近傍部位の傾斜角度は約９度となっている。尚、本実施形態では、第１側壁部１１（第２側壁部１２）の幅方向中央部と両側部との間の角度は徐々に変化しているが、段差が形成されるようにして幅方向中央部の角度と両側部の角度とを変化させてもよい。
【００３４】
さて、張り出し部４は、各側壁部１１、１２、１３、１４の上縁部から周壁部３の外周方向に向けて水平に延出する延出部２１と、延出部２１の先端縁から下方に向けて延出する折返し部２２とを備えている。尚、折返し部２２は、型抜きの都合上、下方に向けて周壁部３の外周側に若干傾斜して延びている。
【００３５】
張り出し部４のうち、第３側壁部１３に対応して形成される部位（以下、第３張り出し部３３と称する）、及び、第４側壁部１４に対応して形成される部位（以下、第４張り出し部３４と称する）には、長手方向中央位置において、張り出し部４の内周側に凹となる凹部２５が形成されている。当該凹部２５は、第３張り出し部３３及び第４張り出し部３４のうち凹部２５の両側方の凹部２５が形成されていない部位（以下、一般部２４と称する）よりも折返し部２２を張り出し部４内周側において形成するとともに、凹部２５の折返し部２２（２２ａ）の両側部と、一般部２４の折返し部２２（２２ｂ）の両側部とを連結する連結部２６を設けることにより形成されている。尚、本実施形態では、第３張り出し部３３、第４張り出し部３４が短辺側張り出し部に相当する。
【００３６】
また、凹部２５には、折返し部２２ａの先端縁から張り出し部４の外周方向に向けて水平に延びるフランジ部２７が形成されている。フランジ部２７の両側部は連結部２６に連結されている。さらに、フランジ部２７の肉厚は、延出部２１等のその他の部位の肉厚と同じである。すなわち、フランジ部２７は、凹部２５の折返し部２２（２２ａ）の上縁部から折返し部２２（２２ａ）の延出長とほぼ同じ距離だけ離れた位置に設けられている。これにより、箱型容器１をネスティングした場合、図７に示すように、上側の箱型容器１のフランジ部２７と下側の箱型容器１のフランジ部２７との間に隙間が形成されることとなる。また、フランジ部２７の先端縁は、一般部２４の折返し部２２（２２ｂ）の外側面と面一となっている。
【００３７】
さらに、凹部２５の折返し部２２（２２ａ）の延出長は、一般部２４の折返し部２２（２２ｂ）の延出長よりも長く構成され、フランジ部２７は一般部２４の折返し部２２（２２ｂ）よりも下方に位置している。本実施形態では、ネスティング時において、上側の箱型容器１の一般部２４の折返し部２２（２２ｂ）の下縁部と、下側の箱型容器１の一般部２４の折返し部２２（２２ｂ）の上縁部（延出部２１）との間の距離が約５ｍｍとなっている。また、ネスティング時において、上側の箱型容器１の凹部２５の折返し部２２（２２ａ）の下縁部と、下側の箱型容器１の凹部２５の折返し部２２（２２ａ）の上縁部（延出部２１）との間の距離が約１ｍｍとなっている。また、一般部２４の折返し部２２（２２ｂ）のうち凹部２５との連接部位は、フランジ部２７に向けて下方傾斜してフランジ部２７に連結されている。これによりフランジ部２７の剛性を高めることができ、フランジ部２７の変形や破損などを防止することができる。
【００３８】
箱型容器１の４隅近傍位置には、張り出し部４の延出部２１から下方に突出するコーナーリブ４１が設けられている。本実施形態では、箱型容器１をネスティングした際に、上側の箱型容器１のコーナーリブ４１が下側の箱型容器１の延出部２１上面に当接して支持される構成となっており、基本的にその他の部位においてネスティングされた箱型容器１同士が接触することはない。
【００３９】
また、支持壁部１６の下面には、側壁部１３、１４の外側面との間にかけて三角形状の補強リブ４２が設けられている。当該補強リブ４２により支持壁部１６の剛性が高められている。また、補強リブ４２が三角形状に構成されることによって、図８に示すように、ネスティングに際し、補強リブ４２が下側の箱型容器１の張り出し部４（延出部２１等）に当接しないように構成されている。
【００４０】
加えて、第３張り出し部３３及び第４張り出し部３４の延出部２１には、その上面においてラベル貼着部４４が形成されている。ラベル貼着部４４は、延出部２１の上面よりも一段低く構成されている上、シボ加工が施されている。これにより、ラベル貼着部４４に貼着されたラベルの損傷等が抑制されるとともに、ラベルを比較的容易に剥がすことができる。
【００４１】
以上詳述したように、本実施形態によれば、張り出し部４のうち第３側壁部１３、第４側壁部１４に対応して形成される第３張り出し部３３、第４張り出し部３４には、張り出し部４内周側に凹となる凹部２５が設けられ、凹部２５には、凹部２５を構成する折返し部２２（２２ａ）の下縁部から略水平方向に延出するフランジ部２７が設けられている。このため、箱型容器１をネスティングした際に、上側の箱型容器１の張り出し部４と、下側の箱型容器１の張り出し部４とが近接、或いは接触していても、上側の箱型容器１のフランジ部２７と、下側の箱型容器１のフランジ部２７との間に指を差し込んで上側のフランジ部２７の裏面に指を掛け、上側の箱型容器１を持ち上げることができる。従って、ネスティングした箱型容器１のコンパクト化を図りつつ、ネスティングされた状態から上側の箱型容器１を抜き取るといった作業をスムースに行うことができる。
【００４２】
また、フランジ部２７は凹部２５に設けられていることから、張り出し部４のうち凹部２５が形成されていない一般部２４の折返し部２２（２２ｂ）よりもフランジ部２７を張り出し部４の外周側に大きく突出させなくても、作業者の指が掛けられる程度にフランジ部２７の延出長を確保することができる。特に、本実施形態では、フランジ部２７の先端縁は、一般部２４の折返し部２２（２２ｂ）の外側面と面一となっている。このため、フランジ部２７が一般部２４よりも張り出し部４の外周側に突出することによって、フランジ部２７が損傷し易くなったり、箱型容器１の大型化を招いたりするといった事態を抑制することができる。
【００４３】
加えて、フランジ部２７は、凹部２５を構成する折返し部２２（２２ａ）及び連結部２６に対して３辺で連結されている。このため、フランジ部２７が１辺で支持される（折返し部２２ａに対してのみ連結されている）場合に比べ、フランジ部２７の変形を防止することができ、フランジ部２７の破損を防止することができる。
【００４４】
また、凹部２５の折返し部２２ａの延出長は、一般部２４の折返し部２２ｂの延出長よりも長く構成されている。さらに、フランジ部２７は一般部２４の折返し部２２ｂと連結されている。このため、張り出し部４のうち凹部２５が形成された部位の強度を向上させることができる。また、凹部２５の折返し部２２ａの延出長が長く構成されることによって、凹部２５の折返し部２２ａの裏面に手を掛けやすくなり（力をかけやすくなり）、物品を収容した箱型容器１を持ち運ぶ際などの作業性の向上を図ることができる。
【００４５】
また、例えば、ネスティングされた箱型容器１を上のものから１つずつ持ち上げようとした場合、持ち上げた箱型容器１の外側面（主に底壁部２の下面）と、その下側の箱型容器１の内側面（主に底壁部２の上面）との間に形成される空間が負圧状態になり、持ち上げた箱型容器１のみならず、その下側の箱型容器１も持ち上がってしまうことが懸念される。この場合、ネスティングされた箱型容器１を抜き取る際に、その下側の箱型容器１を手で押さえる必要が生じるなど作業性の低下等を招くおそれがある。
【００４６】
これに対し、本実施形態によれば、第１側壁部１１、第２側壁部１２は、その幅方向両側部近傍部位（１２ｂ）の鉛直方向に対する傾斜角度が第３側壁部１３、第４側壁部１４と同じ約９度に構成されるとともに、その幅方向中央部（１２ａ）の鉛直方向に対する傾斜角度が約１０度に構成されている。すなわち、第１側壁部１１及び第２側壁部１２の幅方向中央部（１２ａ）がその他の部位よりも周壁部３の外周側に大きく傾斜している。このため、箱型容器１をネスティングした際に、上下に重ねられた箱型容器１の第１側壁部１１及び第２側壁部１２の幅方向中央部（１２ａ）間の距離が比較的大きくなる（図５、図６参照）。従って、幅方向中央部（１２ａ）間の隙間から上下の箱型容器１の間に形成される空間に外気が入り易くなり、上側の箱型容器１を持ち上げた際に下側の箱型容器１がくっついてきてしまうといった事態を防止することができる。結果として、ネスティングされた状態から上側の箱型容器１を抜き取るといった作業をスムースに行うことができる。
【００４７】
また、一般に、底壁部２の長辺部に沿って形成される第１側壁部１１、第２側壁部１２に関しては、幅方向中央部において周壁部３内周側に凸となるようにして成形歪みを生じやすい。このように成形歪みが生じた場合、第１側壁部１１、第２側壁部１２の幅方向中央部が幅方向両側部よりも周壁部３の内周側に位置してしまい、ネスティングした際に、上下に重ねられた箱型容器１の第１側壁部１１、第２側壁部１２同士が近接、或いは接触することが懸念される。これに起因して、ネスティングされた箱型容器１を抜き取る作業に際して、作業性の低下を招くおそれがある。
【００４８】
これに対し、本実施形態によれば、第１側壁部１１、第２側壁部１２の幅方向中央部を周壁部３外周側に傾くようにして成形しているため、第１側壁部１１、第２側壁部１２に上記のような成形歪みが生じたとしても、第１側壁部１１、第２側壁部１２の幅方向中央部が幅方向両側部よりも周壁部３内周側に位置してしまうといった事態を防止することができる。従って、ネスティングされた箱型容器１の抜き取り作業性の向上を図るといった作用効果が一層確実に奏される。
【００４９】
また、支脚部１５の外側面に段差部２０が形成され、段差部２０よりも下側の部位が上側の部位に比べて細くなっている。このため、段差部２０において、支脚部１５と脚部収容部１９との間の隙間が大きくなるため、ネスティングされた箱型容器１のうち上側の箱型容器１を持ち上げた際に、かかる隙間から上下の箱型容器１の間に形成される空間に外気が入り易くなる。従って、上側の箱型容器１を持ち上げた際に上下の箱型容器１の間に形成される空間が負圧状態となることに起因して、下側の箱型容器１がくっついてきてしまうといった事態を防止することができる。結果として、ネスティングされた状態から上側の箱型容器１を抜き取るといった作業をスムースに行うことができる。
【００５０】
さらに、ネスティングされた箱型容器１同士は、４隅近傍に対応して形成されたコーナーリブ４１においてのみ接触する構成となっている。このため、スタッキングした際に上側の箱型容器１を４隅近傍で安定して支持することができる上、上側の箱型容器１を支持する部位が多すぎて、逆にがたつきが生じてしまうといった事態を防止することができる。
【００５１】
加えて、支持壁部１６の下面を支持する補強リブ４２は三角形状をなし、ネスティングした際に、当該補強リブ４２が張り出し部４に接触しないよう構成されている。このため、補強リブ４２によってネスティングが阻害されるといった事態を回避することができる。
【００５２】
尚、上記実施形態の記載内容に限定されず、例えば次のように実施してもよい。勿論、以下において例示しない他の応用例、変更例も当然可能である。
【００５３】
（ａ）上記実施形態では特に言及していないが、凹部２５を構成する折返し部２２（２２ａ）の傾斜角度をその他の折返し部２２（２２ｂ）の傾斜角度と異ならせてもよい（例えば、鉛直方向に対してより大きく傾かせてもよい）し、延出部２１と折返し部２２（２２ａ）との連接部をＲ形状に構成することとしてもよい。この場合、箱型容器１をネスティングした場合に、凹部２５の形成部位において、下側の箱型容器１の延出部２１と上側の箱型容器１のフランジ部２７との間に比較的大きな隙間を形成することができ、上側の箱型容器１を持ち上げた際に、かかる隙間から上下に重なる箱型容器１間の空間に外気を導入し易くなる。従って、ネスティングした箱型容器１を抜き取る作業を行う際に、上下に重なる箱型容器１間の空間が負圧状態になり、かかる抜き取り作業をスムースに行えないといった事態をより確実に防止することができる。
【００５４】
（ｂ）上記実施形態では特に言及していないが、例えば、箱型容器１をバージン材料とリサイクル材料とで形成することとしてもよい。この場合、箱型容器１の材料費を低減させることができる上、省資源化を図ることができる。また、図１１に示すように、箱型容器１の長手方向中央部よりも第３側壁部１３側（散点模様を付した部位）をバージン材料で形成し、第４側壁部１４側を前記バージン材料とは色の異なるリサイクル材料で形成することとしてもよい。この場合、箱型容器１の向きを瞬時に判断することができ、スタッキングしたりネスティングしたりする際の作業性の向上を図ることができる。さらに、図１２に示すように、箱型容器１を上方、前方、後方、側方から見たときに箱型容器１の向きが把握できるように、張り出し部４の一部だけ（散点模様を付した部位）をバージン材料で形成することとしてもよい。この場合、箱型容器１の向きを瞬時に判断できる上、バージン材料で形成される部位の比率が下がり、材料コストの削減、省資源化といった作用効果が一層確実に奏される。
【００５５】
（ｃ）上記実施形態において、張り出し部４のうち側壁部１１、１２に対応して形成された部位の長手方向中央位置にも凹部２５及びフランジ部２７を形成してもよい。
【００５６】
また、上記実施形態では、第３張り出し部３３及び第４張り出し部３４の延出部２１上面にのみラベル貼着部４４が設けられているが、その他の部位に設けることとしてもよい。例えば、張り出し部４のうち第１側壁部１１及び第２側壁部１２に対応する部位にラベル貼着部４４を設けることとしてもよいし、ラベル貼着部４４を第３張り出し部３３及び第４張り出し部３４の延出部２１上面から折返し部２２の外側面にかけて形成し、当該ラベル貼着部４４に対しラベルをＬ字に折り曲げるようにして貼着させる構成としてもよい。
【００５７】
（ｄ）上記実施形態では、フランジ部２７が折返し部２２（２２ａ）の下縁部に設けられているが、折返し部２２ａの上縁部から下縁部の間のいずれの位置に設けることとしてもよい。すなわち、フランジ部２７を折返し部２２ａの上縁部から下縁部の間のいずれの位置に設けても、ネスティングされた上側の箱型容器１のフランジ部２７と下側の箱型容器１のフランジ部２７との間の距離は同じであり、上記実施形態と同様の作用効果が奏される。
【００５８】
（ｅ）上記実施形態では、箱型容器１はポリプロピレンにより構成されているが、ポリエチレン、ＰＥＴ、ポリアミド等その他の樹脂材料により構成されることとしてもよい。
【符号の説明】
【００５９】
１…箱型容器、２…底壁部、３…周壁部、４…張り出し部、１１…第１側壁部、１２…第２側壁部、１３…第３側壁部、１４…第４側壁部、１５…支脚部、１６…支持壁部、１９…脚部収容部、２０…段差部、２１…延出部、２２…折返し部、２４…一般部、２５…凹部、２７…フランジ部、３３…第３張り出し部、３４…第４張り出し部、４１…コーナーリブ。
【図１】
2010280425.tif 000003
【図２】
2010280425.tif 000004
【図３】
2010280425.tif 000005
【図４】
2010280425.tif 000006
【図５】
2010280425.tif 000007
【図６】
2010280425.tif 000008
【図７】
2010280425.tif 000009
【図８】
2010280425.tif 000010
【図９】
2010280425.tif 000011
【図１０】
2010280425.tif 000012
【図１１】
2010280425.tif 000013
【図１２】
2010280425.tif 000014